(57)【要約】【課題】透過型太陽光発電装置の屋内側の面の装飾性を向上させる。【解決手段】透明な裏面板１上に、和紙等から成る透光性を有するシート状部材２と、平面的に配列した複数枚の太陽電池セル３と、透明な表面板４とが配置されている。表面板４側から入射した太陽光は、太陽電池セル３に作用して発電がなされると共に、太陽光が太陽電池セル３同士の隙間から裏面板１側の室内に採光される。和紙等から成るシート状部材２を設けたことにより、裏側の太陽電池セル等の部品を隠すことができると共に、太陽光がシート状部材２を透過する際に、散乱して柔らかい光となり、和紙が持つまだら模様を浮き立たせ、室内空間を和ませることができる。【選択図】図１
2008072004.tif 000002
【特許請求の範囲】
【請求項１】
裏面板上に太陽電池セル、表面板を配置し、該表面板側から太陽光を入射し前記太陽電池セルにより発電すると共に、前記太陽光の一部を前記裏面板を通して屋内に入射させる透過型太陽光発電装置において、前記裏面板と前記太陽電池セルとの間に、画像及び（又は）色彩を表示し透光性を有する中間部材を配置し、前記太陽光の一部が前記中間部材を透過することにより、前記屋内に前記中間部材の画像及び（又は）色彩を表示することを特徴とする透過型太陽光発電装置。
【請求項２】
前記中間部材は和紙、洋紙、合成樹脂フィルムの少なくとも１つから成ることを特徴とする請求項１に記載の透過型太陽光発電装置。
【請求項３】
前記中間部材は前記太陽電池セルの周囲に配置した有色透明又は有色半透明な絶縁材であることを特徴とする請求項１に記載の透過型太陽光発電装置。
【請求項４】
前記裏面板と前記表面板の間に発光素子を備えたことを特徴とする請求項１〜３の何れか１つの請求項に記載の透過型太陽光発電装置。
【請求項５】
前記裏面板と前記太陽電池セルとの間に密閉した空間部を設け、該空間部内に前記中間部材として吸湿性を有する紙を配置したことを特徴とする請求項２に記載の透過型太陽光発電装置。
【発明の詳細な説明】
【技術分野】
【０００１】
本発明は、太陽光から電気エネルギを発生する透過型太陽光発電装置に関するものである。
【背景技術】
【０００２】
従来から、例えば特許文献１に示すように複数枚の太陽電池セルにより電気を発電すると共に、太陽電池セル同士の隙間から太陽光を室内に採光する透過型太陽光発電装置が実用化されている。
【０００３】
【特許文献１】特開２００５−１９７４８９号公報
【発明の開示】
【発明が解決しようとする課題】
【０００４】
しかしながら、一般に採光が可能な光透過型の太陽光発電装置の裏面、つまり屋内側の面には太陽電池セル、電極等の部品が配列されており、幾何学的模様は表われるものの、美的に好ましい状態とは云い難い。
【０００５】
本発明の目的は、上記の課題を解決し、屋内側の面の装飾性を向上させることができる透過型太陽光発電装置を提供することにある。
【課題を解決するための手段】
【０００６】
上記目的を達成するための本発明に係る透過型太陽光発電装置の技術的特徴は、裏面板上に太陽電池セル、表面板を配置し、該表面板側から太陽光を入射し前記太陽電池セルにより発電すると共に、前記太陽光の一部を前記裏面板を通して屋内に入射させる透過型太陽光発電装置において、前記裏面板と前記太陽電池セルとの間に、画像及び（又は）色彩を表示し透光性を有する中間部材を配置し、前記太陽光の一部が前記中間部材を透過することにより、前記屋内に前記中間部材の画像及び（又は）色彩を表示することにある。
【発明の効果】
【０００７】
本発明に係る透過型太陽光発電装置によれば、屋内側の面の裏面板側に画像・色彩を表示し透光性を有する中間部材を配置することにより、太陽電池セル、電極等の部品を隠すと共に、装飾性を高め、室内に太陽光を採光することができる。
【０００８】
中間部材は模様等を表示することができ、更に発光素子を使用すると、夜間においても中間部材による装飾効果を有する。
【発明を実施するための最良の形態】
【０００９】
本発明を図示の実施例に基づいて詳細に説明する。
【実施例１】
【００１０】
図１は例えば建物の窓ガラスを兼ねた透過型太陽光発電装置の断面図を示している。ガラス、アクリル樹脂等から成る透明な裏面板１上に、中間部材として和紙等から成る透光性を有するシート状部材２と、平面的に配列した複数枚の結晶系の太陽電池セル３と、ガラス、アクリル樹脂等から成る透明な表面板４とが配置されている。各太陽電池セル３同士は図示しない電極、配線により電気的に接続され、外部の太陽電池取り出しケーブルに接続されている。また、太陽電池セル３の周囲には、ＥＶＡ、ＰＶＢ、シリコン等から成る電気絶縁性を持ち透明な絶縁材５が充填されている。
【００１１】
表面板４側から入射した太陽光は、太陽電池セル３に作用して発電がなされると共に、太陽光が太陽電池セル３同士の隙間から裏面板１側の室内に採光される。そして、和紙等から成るシート状部材２を設けたことにより、太陽電池セル等の部品を隠すことができると共に、太陽光がシート状部材２を透過する際に、散乱して柔らかい光として裏面板側１に出射され、和紙が持つまだら模様を浮き立たせ、室内空間を和ませることができる。
【００１２】
また、シート状部材２に予め文字又は図柄又は模様等の画像、色彩を印刷、エンボス加工等を施しておけば、これらの文字又は図柄又は模様等の画像や色彩を表現することができる。なお、本実施例においては、和紙を用いたが、和紙以外に透光性を有する洋紙、合成樹脂製フィルムを用いてもよい。また、色彩等の異なる複数種のシート状部材２を用いて組み合わせることにより、模様等の画像、色彩を表現することもできる。
【実施例２】
【００１３】
実施例１においては、太陽電池セル３同士の隙間から太陽光を採光し、室内空間を照明したが、本実施例２においては、図２に示すように透明な裏面板１上にシート状部材２、複数枚の太陽電池セル３を積層し、更に裏面に発光ダイオード１１を取り付けた表面板４が積層されている。なお、この発光ダイオード１１は太陽電池セル３同士の隙間から室内空間側に光を出射するように配置されている。実施例１と同様にシート状部材２、太陽電池セル３の周囲は透明な絶縁材５が充填されている。
【００１４】
この実施例２では、夜間において太陽電池セル３の隙間から照射された発光ダイオード１１により、太陽光と同様に、格子状に漏れた光によりシート状部材２を照明することができる。
【００１５】
なお、発光ダイオード１１を太陽電池セル３の裏面に配置すれば、シート状部材２を全面的に照明することもできる。
【００１６】
そして、商用電源或いは太陽電池セル３により昼間発電した電気をバッテリに蓄電し、夜間に発光ダイオード１１により室内を照明する。
【実施例３】
【００１７】
本実施例３においては、図３に示すように裏面板１上の透明絶縁板２１との間の空間部Ｓ内に、シート状部材２、発光ダイオード１１が配置され、発光ダイオード１１は透明絶縁板２１の裏側に取り付けられている。透明絶縁板２１上には、太陽電池セル３、表面板４が実施例１と同様に積層されている。また、空間部Ｓの周囲にはスペーサ２２が配置され、空間部Ｓ内は密閉状態とされ、窓ガラスに用いた際に断熱性・遮音性を向上させることができる。
【００１８】
この場合に、シート状部材２に例えば和紙等の紙を用いると、紙により太陽光や発光ダイオード１１からの光を柔らかい光に変換すると共に、紙の吸湿性により、空間部Ｓ内の湿気を吸湿し、結露等の発生を防止することができる。
【００１９】
実施例１〜３においては、中間部材として和紙等のシート状部材２を用いたが、中間部材として有色透明又は有色半透明なＥＶＡ、ＰＶＢ、シリコン等の絶縁材５を用いれば、シート状部材２を省略しても、屋内に色彩を表示することができる。
【実施例４】
【００２０】
本実施例４においては、図４に示すように表面板４の裏面にアモルファス系の太陽電池セル３１を貼り付けると共に、太陽電池セル３１の隙間に発光ダイオード１１を配置している。なお、実施例３と同一の部材には同一の符号を付し説明は省略する。
アモルファス系の太陽電池セル３１は極めて薄いため、表面板４に直接貼り付けることができ、図３に示すような絶縁材５、絶縁板２１を用いる必要がなく、製造工程を短縮することができる。
本実施例４においても、裏面板１と表面板４の間に空間部Ｓが形成され、この空間部Ｓ内に、和紙等のシート状部材２を配置することにより、和紙により太陽光や発光ダイオード１１からの光を柔らかい光に変換すると共に、和紙の吸湿性により、空間部Ｓ内の湿気を吸湿し、結露等の発生を防止することができる。
【図面の簡単な説明】
【００２１】
【図１】実施例１の断面図である。
【図２】実施例２の断面図である。
【図３】実施例３の断面図である。
【図４】実施例４の断面図である。
【符号の説明】
【００２２】
１  裏面板
２  シート状部材
３、３１  太陽電池セル
４  表面板
５  絶縁材
１１  発光ダイオード
２１  透明絶縁板
２２  スペーサ
Ｓ  空間部
【図１】
2008072004.tif 000003
【図２】
2008072004.tif 000004
【図３】
2008072004.tif 000005
【図４】
2008072004.tif 000006